(57)【要約】【課題】ユーザからの適用する信号フォーマットの変更要求に即応可能であり、また、ユーザの呼接続要求の処理を効率良く実行し、ユーザの利便性を向上させることができるＯＶＰＮを実現する。【解決手段】ＯＶＰＮのユーザが、自ユーザ装置に割当てられたＩＰアドレスおよびＶＰＮＩＤとともに自ユーザ装置が用いるＬ１信号種別情報をあらかじめＯＶＰＮ終端装置に登録しておく。当該登録が行われた際に、当該登録内容を少なくとも当該ユーザ装置と同一のＶＰＮＩＤを管理する他ＯＶＰＮ終端装置にも通知する。あるいは、ユーザ装置からの呼接続要求が到着した際に、当該登録内容を着信先を管理する他ＯＶＰＮ終端装置に通知する。あるいは、単に通知を行うだけでなく、信号変換リソースの空塞状況を発信側および着信側の双方で検索する。【選択図】  図２
2004193658.tif 000002
【特許請求の範囲】
【請求項１】
ＯＶＰＮ（Ｏｐｔｉｃａｌ  Ｖｉｒｔｕａｌ  Ｐｒｉｖａｔｅ  Ｎｅｔｗｏｒｋ）加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられ、
前記ユーザ装置を収容するＯＶＰＮ終端装置を備え、
このＯＶＰＮ終端装置は、
前記ユーザ装置からの当該ユーザ装置が用いる前記第一の信号フォーマットの種別を当該ユーザ装置のＩＰアドレスおよびＶＰＮＩＤとともに登録する手段と、
当該登録内容を少なくとも当該ユーザ装置と同一のＶＰＮＩＤを管理する他ＯＶＰＮ終端装置に通知する手段と、
前記ユーザ装置からの呼接続要求に対して当該ユーザ装置のＩＰアドレスおよびＶＰＮＩＤに対応する前記第一の信号フォーマットの種別を前記登録する手段により登録された情報を参照して検索する手段と、
この検索する手段の検索結果にしたがい当該ユーザ装置からのデータ転送時には当該ユーザ装置が用いる前記第一の信号フォーマットを選択する手段と
を備えたことを特徴とするＯＶＰＮシステム。
【請求項２】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記ユーザ装置からの当該ユーザ装置が用いる前記第一の信号フォーマットの種別を当該ユーザ装置のＩＰアドレスおよびＶＰＮＩＤとともに登録する手段と、
当該登録内容を少なくとも当該ユーザ装置と同一のＶＰＮＩＤを管理する他ＯＶＰＮ終端装置に通知する手段と、
前記ユーザ装置からの呼接続要求に対して当該ユーザ装置のＩＰアドレスおよびＶＰＮＩＤに対応する前記第一の信号フォーマットの種別を前記登録する手段により登録された情報を参照して検索する手段と、
この検索する手段の検索結果にしたがい当該ユーザ装置からのデータ転送時には当該ユーザ装置が用いる前記第一の信号フォーマットを選択する手段と
を備えたことを特徴とするＯＶＰＮ終端装置。
【請求項３】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられ、
前記ユーザ装置を収容するＯＶＰＮ終端装置を備え、
このＯＶＰＮ終端装置は、
前記ユーザ装置からの当該ユーザ装置が用いる前記第一の信号フォーマットの種別を当該ユーザ装置のＩＰアドレスおよびＶＰＮＩＤとともに登録する手段と、
前記ユーザ装置からの呼接続要求到着時に当該登録内容を当該呼接続の着信先を管理する他ＯＶＰＮ終端装置に通知する手段と、
当該他ＯＶＰＮ終端装置に相応する機能として、当該登録内容を参照して当該着信先が用いる前記第一の信号フォーマットを選択する手段と、
前記通知する手段の通知に対する応答として前記他ＯＶＰＮ終端装置から前記着信先で用いる前記第一の信号フォーマットの種別情報を受け取り当該種別情報に基づき前記ユーザ装置が用いる前記第一の信号フォーマットの種別を選択する手段と
を備えたことを特徴とするＯＶＰＮシステム。
【請求項４】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記ユーザ装置からの当該ユーザ装置が用いる前記第一の信号フォーマットの種別を当該ユーザ装置のＩＰアドレスおよびＶＰＮＩＤとともに登録する手段と、
前記ユーザ装置からの呼接続要求到着時に当該登録内容を当該呼接続の着信先を管理する他ＯＶＰＮ終端装置に通知する手段と、
当該他ＯＶＰＮ終端装置に相応する機能として、当該登録内容を参照して当該着信先が用いる前記第一の信号フォーマットを選択する手段と、
前記通知する手段の通知に対する応答として前記他ＯＶＰＮ終端装置から前記着信先で用いる前記第一の信号フォーマットの種別情報を受け取り当該種別情報に基づき前記ユーザ装置が用いる前記第一の信号フォーマットの種別を選択する手段と
を備えたことを特徴とするＯＶＰＮ終端装置。
【請求項５】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられ、
前記ユーザ装置を収容するＯＶＰＮ終端装置を備え、
このＯＶＰＮ終端装置は、
前記ユーザ装置からの当該ユーザ装置が用いる前記第一の信号フォーマットの１以上の種別を当該ユーザ装置のＩＰアドレスおよびＶＰＮＩＤとともに登録する手段と、
前記ユーザ装置からの呼接続要求到着時に当該登録内容を当該ユーザ装置の着信先を管理する他ＯＶＰＮ終端装置に通知し、当該登録内容に基づき当該他ＯＶＰＮ終端装置と自装置との間で共通に対応可能な前記ユーザ装置が使用可能な前記第一の信号フォーマットの種別を選択する手段と、
この選択する手段により選択された前記第一の信号フォーマットの種別が前記第二の信号フォーマットの種別と異なる場合には前記相互に変換する手段の空塞状況を自装置と前記他ＯＶＰＮ装置との双方で検索する手段と、
この検索する手段の検索結果に基づき少なくとも塞状態でない前記相互に変換する手段のいずれかを自装置と前記他ＯＶＰＮ装置とで共通に選択する手段と
を備えたことを特徴とするＯＶＰＮシステム。
【請求項６】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記ユーザ装置からの当該ユーザ装置が用いる前記第一の信号フォーマットの１以上の種別を当該ユーザ装置のＩＰアドレスおよびＶＰＮＩＤとともに登録する手段と、
前記ユーザ装置からの呼接続要求到着時に当該登録内容を当該ユーザ装置の着信先を管理する他ＯＶＰＮ終端装置に通知し、当該登録内容に基づき当該他ＯＶＰＮ終端装置と自装置との間で共通に対応可能な前記ユーザ装置が使用可能な前記第一の信号フォーマットの種別を選択する手段と、
この選択する手段により選択された前記第一の信号フォーマットの種別が前記第二の信号フォーマットの種別と異なる場合には前記相互に変換する手段の空塞状況を自装置と前記他ＯＶＰＮ装置との双方で検索する手段と、
この検索する手段の検索結果に基づき少なくとも塞状態でない前記相互に変換する手段のいずれかを自装置と前記他ＯＶＰＮ装置とで共通に選択する手段と
を備えたことを特徴とするＯＶＰＮ終端装置。
【請求項７】
前記登録する手段は、前記ユーザ装置が用いる１以上の前記第一の信号フォーマットに対応する自装置のポート識別子またはインタフェース識別子を当該ユーザ装置のＩＰアドレスおよびＶＰＮＩＤと併せて登録する手段を備えた請求項２、４、６のいずれかに記載のＯＶＰＮ終端装置。
【請求項８】
前記相互に変換する手段を自装置内に備えた請求項２、４、６、７のいずれかに記載のＯＶＰＮ終端装置。
【請求項９】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられ、
複数の請求項２、４、６、７のいずれかに記載のＯＶＰＮ終端装置に共通に前記相互に変換する手段の機能を提供する手段を備えた
ことを特徴とする集中制御装置。
【請求項１０】
請求項１、３、５のいずれかに記載のＯＶＰＮシステムまたは請求項２、４、６、７、８のいずれかに記載のＯＶＰＮ終端装置または請求項９記載の集中制御装置を備えたことを特徴とする光通信網。
【発明の詳細な説明】
【０００１】
【発明の属する技術分野】
本発明は、ＶＰＮ（Ｖｉｒｔｕａｌ  Ｐｒｉｖａｔｅ  Ｎｅｔｗｏｒｋ）に関する。特に、様々なレイヤ１信号を収容可能で、レイヤ１ＶＰＮやＯＶＰＮ（ＯＶＰＮ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。図１０は従来のＯＶＰＮ構成例を示す図であるが、従来の技術では、図１０に示すように、ユーザが拠点間でＯＶＰＮ（ＯＶＰＮ）を構成する場合に、拠点間に光専用線１２３〜１２５をネットワークプロバイダから借りて接続し、ＯＶＰＮを構成するのが一般的である。この場合に、光専用線１２３〜１２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、レイヤ１信号をトランスペアレントに伝達する機能を有する専用線を構成する技術として、ＳＤＨ／ＳＯＮＥＴや、ＯＴＮ（Ｏｐｔｉｃａｌ  Ｔｒａｎｓｐｏｒｔ  Ｎｅｔｗｏｒｋ）という技術がある。様々なレイヤ１信号（例えば、ＰＤＨ、Ｅｔｈｅｒｎｅｔ（登録商標）、Ｇｉｇａｂｉｔ  Ｅｔｈｅｒｎｅｔ、Ｆｉｂｅｒｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（ＯＣｈ）ペイロードに収容する信号変換器と、網の出口でペイロードから収容したレイヤ１信号を取り出して出力する信号変換器を介して伝達することで、レイヤ１のディジタル信号をトランスペアレントに伝達する機能を提供している。現状の技術レベルでは、Ｇｉｇｂｉｔ  ＥｔｈｅｒｎｅｔとＦｉｂｅｒｃｈａｎｎｅｌといった、一部の例外を除くと、同一の信号変換器で複数のレイヤ１信号を取り扱うことができない。
【０００４】
したがって、ＯＶＰＮを上述の信号変換器を用いて構成した場合に、ＯＶＰＮを利用するユーザは、予め使用するレイヤ１信号をＯＶＰＮ提供者に届け出を行い、所望の信号変換器をＯＶＰＮの終端装置に配備してもらわなくてはならない（例えば、非特許文献１参照）。
【０００５】
【非特許文献１】
三澤、片山、岡本、山中“Ｏｐｔｉｃａｌ  ＶＰＮサービスの提案”２００２信学ソサエティ大会ＳＢ−６−４
【０００６】
【発明が解決しようとする課題】
このように、従来のＯＶＰＮでは、レイヤ１信号をトランスペアレントに伝達するという機能を提供することは可能であるが、収容するレイヤ１信号をＯＶＰＮユーザが変更したいという要求に対しては、信号変換器の取替えやファイバの接続変更といった作業が必要となり、ユーザからの変更要求に対して即応できないという問題がある。
【０００７】
本発明は、このような背景に行われたものであって、ユーザからの適用する信号フォーマットの変更要求に即応可能なＯＶＰＮを提供することを目的とする。また、本発明は、ユーザの呼接続要求の処理を効率良く実行し、ユーザの利便性を向上させることができるＯＶＰＮを提供することを目的とする。
【０００８】
【課題を解決するための手段】
本発明では、ＯＶＰＮのユーザが、自ユーザ装置に割当てられたＩＰアドレスおよびＶＰＮＩＤとともに自ユーザ装置が用いるＬ１信号種別情報をあらかじめＯＶＰＮ終端装置に登録しておく。
【０００９】
さらに、本発明では、当該登録が行われた際に、当該登録内容を少なくとも当該ユーザ装置と同一のＶＰＮＩＤを管理する他ＯＶＰＮ終端装置にも通知する。これにより、少なくとも同一ＶＰＮＩＤを管理するＯＶＰＮ終端装置間では、登録内容が同期しており、ユーザ装置からの呼接続要求に対して速やかに発信側および着信側のユーザ装置で共通に用いることができるＬ１信号種別を選択することができる。また、発信側および着信側のユーザ装置で共通に用いることができるＬ１信号種別が無い場合には、適当なＬ１信号を変換する手段を選択して発信側と着信側とが通信を行えるようにすることができる。
【００１０】
あるいは、本発明では、ユーザ装置からの呼接続要求が到着した際に、当該登録内容を着信先を管理する他ＯＶＰＮ終端装置に通知する。この通知を受け取った他ＯＶＰＮ終端装置では、この通知により自己の登録内容を更新することにより、発信側のユーザ装置が使用可能なＬ１信号種別を把握することができる。このようにして発信側のユーザ装置が使用可能なＬ１信号種別を把握した着信先の他ＯＶＰＮ終端装置では、着信側のユーザ装置が使用可能なＬ１信号種別を参照し、発信側のユーザ装置にその旨を通知して通信を行う。
【００１１】
あるいは、単に通知を行うだけでなく、ユーザ装置が用いるＬ１信号種別とＯＶＰＮが用いるＬ１信号種別とが異なる場合には、信号変換が必要になるので、信号変換リソースの空塞状況を発信側および着信側の双方で検索することにより、通信に使用するＬ１信号種別を決定することができる。これにより、双方共に信号変換リソースが空いているＬ１信号種別を選択することができ、通信の失敗を回避することができる。
【００１２】
また、そのときのＯＶＰＮ内のリソースの使用状況あるいはトラヒックの状況によりコンバータの空塞状況は変化するが、発信元および着信先の双方がネゴシエーションを行って最適なＬ１変換リソースを確保することができる。Ｌ１変換リソースが確保されたら呼接続通知が行われて通信が開始される。
【００１３】
これにより、ユーザからの適用する信号フォーマットの変更要求に即応可能であり、また、ユーザの呼接続要求の処理を効率良く実行し、ユーザの利便性を向上させることができるＯＶＰＮを実現することができる。
【００１４】
すなわち、本発明の第一の観点はＯＶＰＮシステムであって、本発明の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、前記ユーザ装置を収容するＯＶＰＮ終端装置を備え、このＯＶＰＮ終端装置は、前記ユーザ装置からの当該ユーザ装置が用いる前記第一の信号フォーマットの種別を当該ユーザ装置のＩＰアドレスおよびＶＰＮＩＤとともに登録する手段と、当該登録内容を少なくとも当該ユーザ装置と同一のＶＰＮＩＤを管理する他ＯＶＰＮ終端装置に通知する手段と、前記ユーザ装置からの呼接続要求に対して当該ユーザ装置のＩＰアドレスおよびＶＰＮＩＤに対応する前記第一の信号フォーマットの種別を前記登録する手段により登録された情報を参照して検索する手段と、この検索する手段の検索結果にしたがい当該ユーザ装置からのデータ転送時には当該ユーザ装置が用いる前記第一の信号フォーマットを選択する手段とを備えたところにある。
【００１５】
本発明の第二の観点は、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置である。
【００１６】
ここで、本発明の特徴とするところは、前記ユーザ装置からの当該ユーザ装置が用いる前記第一の信号フォーマットの種別を当該ユーザ装置のＩＰアドレスおよびＶＰＮＩＤとともに登録する手段と、当該登録内容を少なくとも当該ユーザ装置と同一のＶＰＮＩＤを管理する他ＯＶＰＮ終端装置に通知する手段と、前記ユーザ装置からの呼接続要求に対して当該ユーザ装置のＩＰアドレスおよびＶＰＮＩＤに対応する前記第一の信号フォーマットの種別を前記登録する手段により登録された情報を参照して検索する手段と、この検索する手段の検索結果にしたがい当該ユーザ装置からのデータ転送時には当該ユーザ装置が用いる前記第一の信号フォーマットを選択する手段とを備えたところにある。
【００１７】
あるいは、本発明のＯＶＰＮシステムは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、前記ユーザ装置を収容するＯＶＰＮ終端装置を備え、このＯＶＰＮ終端装置は、前記ユーザ装置からの当該ユーザ装置が用いる前記第一の信号フォーマットの種別を当該ユーザ装置のＩＰアドレスおよびＶＰＮＩＤとともに登録する手段と、前記ユーザ装置からの呼接続要求到着時に当該登録内容を当該呼接続の着信先を管理する他ＯＶＰＮ終端装置に通知する手段と、当該他ＯＶＰＮ終端装置に相応する機能として、当該登録内容を参照して当該着信先が用いる前記第一の信号フォーマットを選択する手段と、前記通知する手段の通知に対する応答として前記他ＯＶＰＮ終端装置から前記着信先で用いる前記第一の信号フォーマットの種別情報を受け取り当該種別情報に基づき前記ユーザ装置が用いる前記第一の信号フォーマットの種別を選択する手段とを備えたことを特徴とする。
【００１８】
あるいは、本発明のＯＶＰＮ終端装置は、前記ユーザ装置からの当該ユーザ装置が用いる前記第一の信号フォーマットの種別を当該ユーザ装置のＩＰアドレスおよびＶＰＮＩＤとともに登録する手段と、前記ユーザ装置からの呼接続要求到着時に当該登録内容を当該呼接続の着信先を管理する他ＯＶＰＮ終端装置に通知する手段と、当該他ＯＶＰＮ終端装置に相応する機能として、当該登録内容を参照して当該着信先が用いる前記第一の信号フォーマットを選択する手段と、前記通知する手段の通知に対する応答として前記他ＯＶＰＮ終端装置から前記着信先で用いる前記第一の信号フォーマットの種別情報を受け取り当該種別情報に基づき前記ユーザ装置が用いる前記第一の信号フォーマットの種別を選択する手段とを備えたことを特徴とする。
【００１９】
あるいは、本発明のＯＶＰＮシステムは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、前記ユーザ装置を収容するＯＶＰＮ終端装置を備え、このＯＶＰＮ終端装置は、前記ユーザ装置からの当該ユーザ装置が用いる前記第一の信号フォーマットの１以上の種別を当該ユーザ装置のＩＰアドレスおよびＶＰＮＩＤとともに登録する手段と、前記ユーザ装置からの呼接続要求到着時に当該登録内容を当該ユーザ装置の着信先を管理する他ＯＶＰＮ終端装置に通知し、当該登録内容に基づき当該他ＯＶＰＮ終端装置と自装置との間で共通に対応可能な前記ユーザ装置が使用可能な前記第一の信号フォーマットの種別を選択する手段と、この選択する手段により選択された前記第一の信号フォーマットの種別が前記第二の信号フォーマットの種別と異なる場合には前記相互に変換する手段の空塞状況を自装置と前記他ＯＶＰＮ装置との双方で検索する手段と、この検索する手段の検索結果に基づき少なくとも塞状態でない前記相互に変換する手段のいずれかを自装置と前記他ＯＶＰＮ装置とで共通に決定する手段とを備えたことを特徴とする。
【００２０】
あるいは、本発明のＯＶＰＮ終端装置は、前記ユーザ装置からの当該ユーザ装置が用いる前記第一の信号フォーマットの１以上の種別を当該ユーザ装置のＩＰアドレスおよびＶＰＮＩＤとともに登録する手段と、前記ユーザ装置からの呼接続要求到着時に当該登録内容を当該ユーザ装置の着信先を管理する他ＯＶＰＮ終端装置に通知し、当該登録内容に基づき当該他ＯＶＰＮ終端装置と自装置との間で共通に対応可能な前記ユーザ装置が使用可能な前記第一の信号フォーマットの種別を選択する手段と、この選択する手段により選択された前記第一の信号フォーマットの種別が前記第二の信号フォーマットの種別と異なる場合には前記相互に変換する手段の空塞状況を自装置と前記他ＯＶＰＮ装置との双方で検索する手段と、この検索する手段の検索結果に基づき少なくとも塞状態でない前記相互に変換する手段のいずれかを自装置と前記他ＯＶＰＮ装置とで共通に決定する手段とを備えたことを特徴とする。
【００２１】
また、前記登録する手段は、前記ユーザ装置が用いる１以上の前記第一の信号フォーマットに対応する自装置のポート識別子またはインタフェース識別子を当該ユーザ装置のＩＰアドレスおよびＶＰＮＩＤと併せて登録する手段を備えることが望ましい。また、前記相互に変換する手段を自装置内に備えることもできる。
【００２２】
本発明の第三の観点は、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、複数の本発明のＯＶＰＮ終端装置に共通に前記相互に変換する手段の機能を提供する手段を備えたことを特徴とする集中制御装置である。
【００２３】
本発明の第四の観点は、本発明のＯＶＰＮシステムまたはＯＶＰＮ終端装置または集中制御装置を備えたことを特徴とする光通信網である。
【００２４】
【発明の実施の形態】
（第一実施例）
第一実施例を図１ないし図４を参照して説明する。図１は本実施例の前提となるＯＶＰＮ構成例を示す図である。図２は第一実施例の動作を示す概念図である。図３は第一実施例のデータベースの登録内容を説明するための図である。図４は第一実施例の動作を示す概念図である。説明を簡単化するために、図１では、左上のユーザ装置２０−１、２１−１から左下のユーザ装置２０−２への信号が伝送される例を示しているが、通常の通信は、同時に反対方向へも信号が伝送される。また、図１に示すＯＶＰＮ終端装置３０および８０、網制御装置４０および６０、光クロスコネクト装置５０および７０はそれぞれ同一構成の装置であり、以下では、説明を簡単化するために、主としてＯＶＰＮ終端装置３０、網制御装置４０、光クロスコネクト装置５０について説明し、ＯＶＰＮ終端装置８０、網制御装置６０、光クロスコネクト装置７０の同一内容の説明は省略する。なお、本実施例ではＳＤＨについて述べるがＳＯＮＥＴについても同様に説明することができる。
【００２５】
網制御装置４０により光クロスコネクト装置５０の方路が設定され、拠点間にＳＤＨ網を介したＯＶＰＮが構成される。なお、網制御装置４０は、各拠点のユーザ装置２０−１、２１−１により制御することができる。
【００２６】
第一実施例では、ＯＶＰＮ終端装置３０は、ユーザ装置２０−１、２０−２、２１−１に適用された第一の信号フォーマットであるＧｉｇａｂｉｔ  ＥｔｈｅｒｎｅｔまたはＡＴＭとＯＶＰＮに適用された前記第一の信号フォーマットとは異なる第二の信号フォーマットであるＳＤＨとを相互に変換する信号変換器であるコンバータ３３、３４を備え、当該コンバータ３３、３４は、複数の異なる前記第一の信号フォーマットに対応して複数設けられる。どのコンバータ３３または３４を用いるかは、光スイッチ３２を制御して決定する。
【００２７】
なお、ユーザ装置およびＯＶＰＮ共に同一信号フォーマットである場合には一切の信号変換を必要とせず、コンバータ３３、３４を経由せずに通信を行うことができるが、そのようなケースは、本発明の特徴を説明する上で無意味なので説明を省略する。
【００２８】
また、ユーザ装置２０−１とユーザ装置２０−２とが異なる信号フォーマットを用いても信号変換可能であればＯＶＰＮを利用できるが、ここでは説明をわかりやすくするために、同じ信号フォーマットとして説明する。
【００２９】
すなわち、第一実施例のＯＶＰＮ終端装置３０は、ユーザ装置２０−１を収容し、ユーザ装置２０−１からの当該ユーザ装置２０−１が用いる第一の信号フォーマットの種別を当該ユーザ装置２０−１のＩＰアドレスおよびＶＰＮＩＤとともに登録し、当該登録内容を少なくとも当該ユーザ装置２０−１と同一のＶＰＮＩＤを管理する他ＯＶＰＮ終端装置８０に通知する光スイッチ制御装置３１を備え、光スイッチ制御装置３１は、ユーザ装置２０−１からの呼接続要求に対して当該ユーザ装置２０−１のＩＰアドレスおよびＶＰＮＩＤに対応する前記第一の信号フォーマットの種別を登録された情報を参照して検索し、この検索結果にしたがい当該ユーザ装置２０−１からのデータ転送時には当該ユーザ装置２０−１が用いる前記第一の信号フォーマットを選択することを特徴とする。
【００３０】
次に、本実施例の動作を図２ないし図４を参照して説明する。なお、図２および図４に示すデータベースは、図１の光スイッチ制御装置３１、８１内に備えられている。
【００３１】
図２の概念図では、ＶＰＮＩＤとして“ａ”および“ｂ”があり、異なるＶＰＮＩＤ同士のＯＶＰＮ終端装置３０−１、３０−２、８０−１および３０−３、８０−２、８０−３のグループ分けが行われている。
【００３２】
第一実施例では、ユーザ装置２０−１１がＯＶＰＮ終端装置３０−１に自己が用いるＬ１信号種別の情報を自己のＩＰアドレスおよびＶＰＮＩＤと共に登録すると、ＯＶＰＮ終端装置３０−１は、同一ＶＰＮＩＤに属する他ＯＶＰＮ終端装置３０−２および８０−１に登録内容を通知する。
【００３３】
これにより、同一ＶＰＮＩＤを有するＯＶＰＮ終端装置３０−１、３０−２、８０−１のデータベースの内容は同期する。また、データベースに登録される内容は、図３に示すように、ユーザ装置が用いる１以上の第一の信号フォーマットに対応する自装置のポート識別子またはインタフェース識別子を当該ユーザ装置のＩＰアドレスおよびＶＰＮＩＤと併せて登録する。
【００３４】
これにより、ＯＶＰＮ終端装置はユーザ装置からの呼接続要求を受け取るとデータベースを検索し、速やかに、使用可能なＬ１信号種別を選択することができる。また、ポート識別子およびインタフェース識別子がユーザ装置のＩＰアドレスおよびＶＰＮＩＤと併せて登録されていることから、光スイッチ３２の方路切替を効率よく実行することができる。
【００３５】
また、図４に示すように、ＮＭＳ（Ｎｅｔｗｏｒｋ  Ｍａｎａｇｅｍｅｎｔ  Ｓｙｓｔｅｍ）を備えておき、ＯＶＰＮ終端装置３０−１は、自己のデータベース内容をＮＭＳに通知すると、ＮＭＳが同一ＶＰＮＩＤを有する他ＯＶＰＮ終端装置８０−１、３０−２に通知を行う構成とすることもできる。
【００３６】
（第二実施例）
第二実施例を図５および図６を参照して説明する。図５は第二実施例の動作を説明するための概念図である。図６は第二実施例の動作を示すシーケンス図である。
【００３７】
第二実施例は、図５に示すように、ＯＶＰＮ終端装置３０は、ユーザ装置２０−１からの呼接続要求到着時に当該登録内容を当該呼接続の着信先を管理する他ＯＶＰＮ終端装置８０に通知する。また、当該他ＯＶＰＮ終端装置８０に相応する機能として、当該登録内容を参照して当該着信先が用いる第一の信号フォーマットを選択する。
【００３８】
このようにして、ＯＶＰＮ終端装置３０は、通知に対する応答として他ＯＶＰＮ終端装置８０から着信先で用いる第一の信号フォーマットの種別情報を受け取り当該種別情報に基づきユーザ装置２０−１が用いる第一の信号フォーマットの種別を選択する。
【００３９】
すなわち、図６に示すように、ＯＶＰＮ終端装置３０にユーザ装置２０−１からの呼接続要求が到着すると、これを受けたＯＶＰＮ終端装置３０は、呼接続要求とともに当該ユーザ装置２０−１に関する登録内容を着信先の他ＯＶＰＮ終端装置８０に転送する。他ＯＶＰＮ終端装置８０では転送された登録内容に基づき自己のデータベースを更新する。他ＯＶＰＮ終端装置８０では更新されたデータベースを参照して発信側のユーザ装置２０−１との通信に用いるＬ１信号種別を選択する。この選択されたＬ１信号種別による呼接続通知を発信側のＯＶＰＮ終端装置３０に転送する。発信側のＯＶＰＮ終端装置３０はこの呼接続通知を受け取ると、これを発信側のユーザ装置２０−１に転送する。これにより、発信側および着信側のユーザ装置２０−１および２０−１間での通信回線が設定される。
【００４０】
（第三実施例）
第三実施例を図７を参照して説明する。図７は第三実施例の動作を示すシーケンス図である。第三実施例のＯＶＰＮ終端装置は、ユーザ装置からの呼接続要求到着時に当該登録内容を当該ユーザ装置の着信先を管理する他ＯＶＰＮ終端装置に通知し、当該登録内容に基づき当該他ＯＶＰＮ終端装置と自装置との間で共通に対応可能なユーザ装置が使用可能な第一の信号フォーマットの種別を選択し、この選択された第一の信号フォーマットの種別が第二の信号フォーマットの種別と異なる場合にはコンバータの空塞状況を自装置と他ＯＶＰＮ装置との双方で検索し、この検索結果に基づき少なくとも塞状態でないコンバータのいずれかを自装置と他ＯＶＰＮ装置とで共通に選択する。
【００４１】
これにより、そのときのＯＶＰＮ内のリソースの使用状況あるいはトラヒックの状況によりコンバータの空塞状況は変化するが、発信元および着信先の双方がネゴシエーションを行って最適なＬ１変換リソースを確保することができる。Ｌ１変換リソースが確保されたら呼接続通知が行われて通信が開始される。
【００４２】
（第四実施例）
第四実施例を図８を参照して説明する。図８は第四実施例の拠点装置における試験装置構成を示す図である。図８に示す試験装置は拠点装置に設けられ、ユーザ装置２０−１とＯＶＰＮとを切り分け、ＯＶＰＮから送出された試験光を再びＯＶＰＮに折り返すための折り返し制御器９０および光スイッチ９１を備える。
【００４３】
（第五実施例）
第五実施例を図９を参照して説明する。図９は第五実施例のＯＶＰＮ構成を説明するための図である。図９のＯＶＰＮ構成では、ＯＶＰＮ終端装置３０−１、３０−２にコンバータ３４、３５を設けずに、ＯＶＰＮ内に集中変換装置１００を設け、集中変換装置１００内に光スイッチ制御装置１３１および光スイッチ１３２およびコンバータ３４、３５を設け、複数のＯＶＰＮ終端装置３０−１、３０−２が共通にコンバータ３４、３５を利用できるようにした。
【００４４】
なお、このような集中変換装置が複数設けられている場合には、自ＯＶＰＮ終端装置から最短経路となる集中変換装置を選択する。このとき、当該最短経路となる集中変換装置が塞がっている場合には、次に最短経路となる集中変換装置を選択する。
【００４５】
【発明の効果】
以上説明したように、本発明によれば、ユーザからの適用する信号フォーマットの設定要求変更に即応可能であり、また、ユーザの呼接続要求の処理を効率良く実行し、ユーザの利便性を向上させることができるＯＶＰＮを実現することができる。
【図面の簡単な説明】
【図１】本実施例の前提となるＯＶＰＮ構成例を示す図。
【図２】第一実施例の動作を示す概念図。
【図３】第一実施例のデータベースの登録内容を説明するための図。
【図４】第一実施例の動作を示す概念図。
【図５】第二実施例の動作を示す概念図。
【図６】第二実施例の動作を示すシーケンス図。
【図７】第三実施例の動作を示すシーケンス図。
【図８】第四実施例の切り分け試験構成を示す図。
【図９】第五実施例の集中変換装置の構成例を示す図。
【図１０】従来のＯＶＰＮ構成例を示す図。
【符号の説明】
１、３、５、６、１２３〜１２５  光専用線
１０、１１、１２、５０、５１、７０  光クロスコネクト装置
１３、１４、１５  ＯＶＰＮ制御端末
１６  信号変換可否判定部
１７  アドレス生成部
１８  Ｌ１信号登録データベース
２０−１、２０−２、２１−１、２１−２、２２−１、２２−２  ユーザ装置
２３  拠点装置
３０、８０  ＯＶＰＮ終端装置
３１、８１  光スイッチ制御装置
３２、８２  光スイッチ
３３、３４  コンバータ
４０、４１、６０  網制御装置
９０  折り返し制御器
９１  光スイッチ
【図１】
2004193658.tif 000003
【図２】
2004193658.tif 000004
【図３】
2004193658.tif 000005
【図４】
2004193658.tif 000006
【図５】
2004193658.tif 000007
【図６】
2004193658.tif 000008
【図７】
2004193658.tif 000009
【図８】
2004193658.tif 000010
【図９】
2004193658.tif 000011
【図１０】
2004193658.tif 000012